(57)【要約】【解決手段】電磁石３による吸着面４を有する取付台２に取着した支持体５には電動モータ１２により回転するカッター支持軸１３を操作機構１１によりその回転中心線１３ａに沿って往復移動させる駆動装置６を取り付けている。取付台２を支持体５及び駆動装置６とともに支えることができる車輪２２を取付台２に支持し、その車輪２２により取付台２を支持体５及び駆動装置６とともに移動させる際に支え持つ把持柄２４を備えている。また、取付台２と支持体５と駆動装置６とを吊下する際に吊下索が連結される複数の引掛部１９，２１を備えている。【効果】運搬状態で穿孔機１の移動を容易に行うことができる。【選択図】図１
0003137241.tif 000002
【実用新案登録請求の範囲】
【請求項１】
電磁石による吸着面を有する取付台に取着した支持体には電動モータにより回転するカッター支持軸を操作機構によりその回転中心線に沿って往復移動させる駆動装置を取り付けた穿孔機において、前記取付台を前記支持体及び駆動装置とともに支えることができる車輪をこの取付台に支持し、その車輪により取付台を支持体及び駆動装置とともに移動させる際に支え持つ把持柄を備えたことを特徴とする穿孔機。
【請求項２】
前記把持柄は吸着面を含む平面に対し直交する方向の両側のうち前記支持体及び駆動装置側へ前記車輪の回転中心線から離間した位置で支持体に取着されていることを特徴とする請求項１に記載の穿孔機。
【請求項３】
前記把持柄は、回動可能に支持され、吸着面に対する向きを変更し得るように複数の回動位置を取ることを特徴とする請求項２に記載の穿孔機。
【請求項４】
取付台に対しその吸着面に沿う方向の両側のうち、前記車輪は一方の側にのみ支持されているとともに、前記駆動装置のカッター支持軸は他方の側に配設され、この車輪の外周面はこの吸着面を含む平面に対し前記支持体及び駆動装置側へずれて隙間を有していることを特徴とする請求項１または請求項２または請求項３に記載の穿孔機。
【請求項５】
前記取付台と支持体と駆動装置とを吊下する際に吊下索が連結される複数の引掛部を備えたことを特徴とする請求項１から請求項４のうちいずれか一つの請求項に記載の穿孔機。
【請求項６】
電磁石による吸着面を有する取付台に取着した支持体には電動モータにより回転するカッター支持軸を操作機構によりその回転中心線に沿って往復移動させる駆動装置を取り付けた穿孔機において、前記取付台と支持体と駆動装置とを吊下する際に吊下索が連結される複数の引掛部を備えたことを特徴とする穿孔機。
【請求項７】
前記引掛部は、吸着面を含む平面に対し直交する方向の両側のうち前記支持体及び駆動装置側へその吸着面から離間した第一位置と、その第一位置からさらに離間した第二位置とでそれぞれ支持体または駆動装置に取着されていることを特徴とする請求項５または請求項６に記載の穿孔機。
【請求項８】
前記カッター支持軸の回転中心線は、吸着面を含む平面に対し直交する方向に沿うことを特徴とする請求項１から請求項７のうちいずれか一つの請求項に記載の穿孔機。
【考案の詳細な説明】
【技術分野】
【０００１】
本考案は、電磁石による吸着面を有する取付台を備えた穿孔機において、不使用時における移動手段の改良に関するものである。
【背景技術】
【０００２】
従来、この種の穿孔機においては、電磁石による吸着面を有する取付台に支持体が取着され、その支持体には電動モータにより回転するカッター支持軸を操作機構によりその回転中心線に沿って往復移動させる駆動装置が取り付けられ、その吸着面を被穿孔物に吸着させて使用する。
【考案の開示】
【考案が解決しようとする課題】
【０００３】
しかし、この種の穿孔機においては、不使用時に移動させる際に穿孔機全体を使用者が持ち上げる必要があるため、その移動作業が大変面倒であった。
この考案は、不使用時にこの種の穿孔機の移動を容易にすることを目的としている。
【課題を解決するための手段】
【０００４】
後記実施形態の図面（図１〜４）の符号を援用して本考案を説明する。
請求項１の考案にかかる穿孔機は、下記のように構成されている。
この穿孔機１においては、電磁石３による吸着面４を有する取付台２に取着した支持体５には電動モータ１２により回転するカッター支持軸１３を操作機構１１によりその回転中心線１３ａに沿って往復移動させる駆動装置６を取り付けている。前記取付台２を前記支持体５及び駆動装置６とともに支えることができる車輪２２をこの取付台２に支持している。その車輪２２により取付台２を支持体５及び駆動装置６とともに移動させる際に支え持つ把持柄２４を備えている。
【０００５】
請求項１の考案では、運搬状態Ｑで使用者が把持柄２４を手で持ち、車輪２２により取付台２を支持体５及び駆動装置６とともに支えた状態で、使用者が把持柄２４を押して車輪２２を転動させると、穿孔機１の全体を容易に移動させることができる。
【０００６】
請求項１の考案を前提とする請求項２の考案において、前記把持柄２４は吸着面４を含む平面に対し直交する方向Ｚの両側のうち前記支持体５及び駆動装置６側へ前記車輪２２の回転中心線２２ｂから離間した位置で支持体５に取着されている。請求項２の考案では、運搬状態Ｑで車輪２２と把持柄２４との間で穿孔機１の全体を支えることができる。
【０００７】
請求項２の考案を前提とする請求項３の考案において、前記把持柄２４は、回動可能に支持され、吸着面４に対する向きを変更し得るように複数の回動位置を取る。請求項３の考案では、使用者が把持柄２４を手で持ち易い回動位置に調節することができる。
【０００８】
請求項１または請求項２または請求項３の考案を前提とする請求項４の考案において、取付台２に対しその吸着面４に沿う方向Ｘの両側のうち、前記車輪２２は一方の側にのみ支持されているとともに、前記駆動装置６のカッター支持軸１３は他方の側に配設され、この車輪２２の外周面２２ａはこの吸着面４を含む平面に対し前記支持体５及び駆動装置６側へずれて隙間Ｇを有している。請求項４の考案では、使用状態Ｐで取付台２の吸着面４を被穿孔物Ｗに吸着させた際にこの隙間Ｇにより車輪２２を被穿孔物Ｗから浮かせることができるとともに、運搬状態Ｑで車輪２２を支えとして取付台２を支持体５及び駆動装置６とともに傾かせて駆動装置６のカッター支持軸１３を被穿孔物Ｗから離間させることができる。
【０００９】
請求項１から請求項４のうちいずれか一つの請求項の考案を前提とする請求項５の考案においては、前記取付台２と支持体５と駆動装置６とを吊下する際に吊下索３０が連結される複数の引掛部１９，２１を備えている。請求項５の考案では、運搬状態Ｒで使用者が各引掛部１９，２１に吊下索３０を引掛けた状態で、穿孔機１の全体を吊下して容易に移動させることができる。
【００１０】
請求項６の考案にかかる穿孔機は、下記のように構成されている。
この穿孔機１においては、電磁石３による吸着面４を有する取付台２に取着した支持体５には電動モータ１２により回転するカッター支持軸１３を操作機構１１によりその回転中心線１３ａに沿って往復移動させる駆動装置６を取り付けている。前記取付台２と支持体５と駆動装置６とを吊下する際に吊下索３０が連結される複数の引掛部１９，２１を備えている。
【００１１】
請求項６の考案では、運搬状態Ｒで使用者が各引掛部１９，２１に吊下索３０を引掛けた状態で、穿孔機１の全体を吊下して容易に移動させることができる。
請求項５または請求項６の考案を前提とする請求項７の考案において、前記引掛部１９，２１は、吸着面４を含む平面に対し直交する方向Ｚの両側のうち前記支持体５及び駆動装置６側へその吸着面４から離間した第一位置と、その第一位置からさらに離間した第二位置とでそれぞれ支持体５または駆動装置６に取着されている。請求項７の考案では、第一位置の引掛部１９と第二位置の引掛部２１とにそれぞれ吊下索３０を引掛けると、吸着面４を含む平面に対し直交する横方向Ｘ，Ｙへ穿孔機１の全体を向けた状態で吊下することができる。
【００１２】
請求項１から請求項７のうちいずれか一つの請求項の考案を前提とする請求項８の考案において、前記カッター支持軸１３の回転中心線１３ａは、吸着面４を含む平面に対し直交する方向Ｚに沿う。請求項８の考案では、使用状態Ｐで取付台２の吸着面４を被穿孔物Ｗに吸着させた際にカッター支持軸１３が被穿孔物Ｗに向くとともに、運搬状態Ｑで車輪２２により支えた際にカッター支持軸１３を被穿孔物Ｗから離間させることができる。
【考案の効果】
【００１３】
本考案は、電磁石３による吸着面４を有する取付台２に支持体５を取着するとともに、電動モータ１２により回転するカッター支持軸１３を操作機構１１によりその回転中心線１３ａに沿って往復移動させる駆動装置６をその支持体５に取り付けた穿孔機１において、運搬状態Ｑ，Ｒでその穿孔機１の移動を容易に行うことができる。
【考案を実施するための最良の形態】
【００１４】
以下、本考案の一実施形態にかかる穿孔機について図面を参照して説明する。
図１で概略的に示す穿孔機１においては、取付台２に電磁石３が内蔵され、その取付台２に設けられた吸着面４が穿孔機１の使用状態Ｐで被穿孔物Ｗに吸着され、その吸着面４を含む平面に対し直交する上下方向Ｚの両側のうち取付台２の上側に取着された支持体５にはカッター７を回転させるとともに昇降させるための駆動装置６が取り付けられている。この駆動装置６においては、取付台２の吸着面４を含む平面に沿う前後方向Ｘ（横方向）の両側のうち支持体５の前側に取着された案内台８に対し昇降台９が上下方向Ｚへ移動可能に支持され、この昇降台９に昇降ユニット１０が取り付けられているとともに、この案内台８に組み込まれた操作機構１１によりこの昇降台９と昇降ユニット１０とが昇降する。
【００１５】
前記昇降ユニット１０においては、電動モータ１２とその電動モータ１２により回転するカッター支持軸１３とを備え、昇降台９に取着された上側ブラケット１４に電動モータ１２が支持されているとともに、昇降台９に取着された下側ブラケット１５にカッター支持軸１３が回転可能に支持され、そのカッター支持軸１３の回転中心線１３ａが上下方向Ｚに沿う。このカッター支持軸１３に前記カッター７が着脱可能に支持されて前記被穿孔物Ｗに面する。
【００１６】
前記操作機構１１においては、取付台２の吸着面４を含む平面に沿う左右方向Ｙ（前後方向Ｘに対し直交する横方向）へ延びる操作軸１６が案内台８に支持され、その操作軸１６の一端部に早送り用操作ハンドル１７が連結されているとともに、その操作軸１６の他端部に穿孔用操作ハンドル１８が連結され、その操作軸１６に支持されたピニオン（図示せず）と、前記昇降台９に支持されたラック（図示せず）とが互いに噛み合っている。この早送り用操作ハンドル１７と穿孔用操作ハンドル１８とのうち一方のものを操作すると、操作軸１６とともにピニオン（図示せず）が回転してラック（図示せず）が移動するため、案内台８に沿って昇降台９が昇降ユニット１０（電動モータ１２及びカッター支持軸１３等）とともに昇降する。
【００１７】
前記案内台８において左右方向Ｙの両側には下側ブラケット１５の付近（吸着面４から上側へ離間した第一位置）で引掛部１９が取着されている。また、前記昇降台９には上側ブラケット１４の上方位置（この第一位置からさらに上側へ離間した第二位置）で支持枠２０が取着されて電動モータ１２に連結され、その支持枠２０に引掛部２１が設けられている。
【００１８】
前記取付台２において前後方向Ｘの両側のうち後側にのみ左右一対の車輪２２が支持されている。この左右両車輪２２の外周面２２ａは吸着面４を含む平面に対し上側へずれて隙間Ｇを有している。
【００１９】
また、前記早送り用操作ハンドル１７の上方位置（この左右両車輪２２の回転中心線２２ｂから上側へ離間した位置）で前記案内台８に支持板２３が取着され、把持柄２４の基端部に設けられた回動板２５がこの支持板２３に対し支軸２６により上下方向Ｚ及び前後方向Ｘを含む平面上で回動可能に支持されている。図２に示すように、この支持板２３には支軸２６の回動中心線２６ａを中心に円周方向へ複数の係止孔２７が配設されているとともに、この回動板２５には押圧ばね２９（圧縮コイルばね）により付勢された係止ピン２８が支持され、その押圧ばね２９の弾性力により係止ピン２８をいずれかの係止孔２７に係入して把持柄２４の回動位置を変更することにより、吸着面４に対する把持柄２４の向きを変更することができる。
【００２０】
前述した図１に示す使用状態Ｐにおいては、取付台２の吸着面４が被穿孔物Ｗに吸着され、カッター支持軸１３に支持されたカッター７が被穿孔物Ｗに面している。把持柄２４は下向きの回動位置にあって支持体５側に退避している。早送り用操作ハンドル１７を操作してカッター７を被穿孔物Ｗに接近させた後、穿孔用操作ハンドル１８を操作してカッター７により被穿孔物Ｗを加工する。
【００２１】
図３に示す運搬状態Ｑにおいては、前記使用状態Ｐで被穿孔物Ｗに対する吸着面４の吸着を解除するとともに把持柄２４を上向きの回動位置にし、把持柄２４を手で持って取付台２を支持体５及び駆動装置６とともに被穿孔物Ｗに対し傾かせ、それらを被穿孔物Ｗ上で左右両車輪２２により支える。そして、把持柄２４を手で押して被穿孔物Ｗ上で左右両車輪２２を転動させながら穿孔機１を移動させる。
【００２２】
図４に示す運搬状態Ｒにおいては、前記使用状態Ｐで被穿孔物Ｗに対する吸着面４の吸着を解除するとともに把持柄２４を上向きの回動位置にし、各引掛部１９，２１に吊下索３０を引掛けてクレーンにより吊り上げる。そして、把持柄２４を手で支えながらクレーンにより穿孔機１を移動させる。
【００２３】
前記実施形態以外にも例えば下記のように構成してもよい。
・  前記実施形態の駆動装置６においては昇降ユニット１０で電動モータ１２及びカッター支持軸１３が操作機構１１により共に昇降するが、カッター支持軸１３のみが操作機構により昇降するようにしてもよい。
【００２４】
・  前記実施形態の駆動装置６においては昇降ユニット１０でカッター支持軸１３の回転中心線１３ａが吸着面４を含む平面に対し直交する上下方向Ｚに沿うが、カッター支持軸の回転中心線が吸着面４を含む平面と平行な前後方向Ｘに沿うようにしてもよい。
【００２５】
・  前記実施形態では把持柄２４を支持体５の案内台８に支持したが、駆動装置６の昇降ユニット１０で例えば支持枠２０に把持柄を設けてもよい。
・  前記実施形態の駆動装置６において昇降ユニット１０で支持枠２０に引掛部２１を設けたが、その引掛部２１に代えて支持体５の案内台８に引掛部を設けてもよい。
【図面の簡単な説明】
【００２６】
【図１】（ａ）は本実施形態にかかる穿孔機の使用状態を概略的に示す正面図であり、（ｂ）は同じく右側面図であり、（ｃ）は同じく部分平面図であり、（ｄ）は同じく背面図である。
【図２】（ａ）は図１（ａ）の把持柄を示す部分正面図であり、（ｂ）はその把持柄を平面側から見た部分断面図であり、（ｃ）はその把持柄を正面側から見た部分断面図である。
【図３】上記穿孔機を車輪により運搬する状態を概略的に示す正面図である。
【図４】上記穿孔機を吊下して運搬する状態を概略的に示す正面図である。
【符号の説明】
【００２７】
１…穿孔機、２…取付台、３…電磁石、４…吸着面、５…支持体、６…駆動装置、１１…操作機構、１２…電動モータ、１３…カッター支持軸、１３ａ…カッター支持軸の回転中心線、１９，２１…引掛部、２２…車輪、２２ａ…車輪の外周面、２２ｂ…車輪の回転中心線、２４…把持柄、３０…吊下索、Ｇ…車輪の隙間、Ｐ…使用状態、Ｒ，Ｑ…運搬状態、Ｗ…被穿孔物。
【図１】
0003137241.tif 000003
【図２】
0003137241.tif 000004
【図３】
0003137241.tif 000005
【図４】
0003137241.tif 000006